(57)【要約】【課題】アース部材の材料コストを低減する。【解決手段】ノイズフィルタは、開口部１５を有する合成樹脂製の箱形部材１２と、開口部１５を塞ぐように配された板状本体部４１と、板状本体部４１から箱形部材１２内に向けて突出した形態の接続部４４とを有する金属製のアース部材４０と、箱形部材１２内に収容されたコンデンサ５０と、コンデンサ５０に設けられ、箱形部材１２内において接続部４４に溶接により接続されるリード線５２Ｒと、板状本体部４１に形成され、接続部４４とリード線５２Ｒとの溶接領域を箱形部材の外部へ露出させる切欠部４７とを備えている。【選択図】図３
2015095684.tif 000002
【特許請求の範囲】
【請求項１】
開口部を有する合成樹脂製の箱形部材と、
前記開口部を塞ぐように配された板状本体部と、前記板状本体部から前記箱形部材内に向けて突出した形態の接続部とを有する金属製のアース部材と、
前記箱形部材内に収容されたコンデンサと、
前記コンデンサに設けられ、前記箱形部材内において前記接続部に溶接により接続されるリード線と、
前記板状本体部に形成され、前記接続部と前記リード線との溶接領域を前記箱形部材の外部へ露出させる切欠部とを備えていることを特徴とするノイズフィルタ。
【請求項２】
前記切欠部が前記接続部を切り起こすことによって形成されていることを特徴とする請求項１記載のノイズフィルタ。
【請求項３】
前記接続部が、前記開口部の開口縁の近傍に配されているものであって、
前記接続部における前記リード線との溶接領域が、前記開口部の開口縁とは反対側に面していることを特徴とする請求項１又は請求項２記載のノイズフィルタ。
【発明の詳細な説明】
【技術分野】
【０００１】
本発明は、ノイズフィルタに関するものである。
【背景技術】
【０００２】
特許文献１には、合成樹脂製のハウジングと、金属板材からなるアース部材と、ハウジング内に収容されるコンデンサとを備えたノイズフィルタが開示されている。ハウジングは、上面が開放された箱形部材と、箱形部材の上面を塞ぐ蓋部材とを備えて構成されている。アース部材は、箱形部材の底壁部に沿うように取り付けられており、アース部材には、ハウジング内においてコンデンサのリード線と接続するための接続部が形成されている。
【０００３】
この接続部とリード線との接続手段としては、溶接による方法が接続信頼性の点で好ましいが、溶接による接続方法では、合成樹脂製のハウジングが熱変形することが懸念される。その点、特許文献１のノイズフィルタでは、接続部を上方へ立ち上げることにより、溶接位置を、箱形部材の上面の開口部に近い位置に設定しているので、溶接時にハウジングが熱変形する虞はない。
【先行技術文献】
【特許文献】
【０００４】
【特許文献１】特許第４８５０１８１号公報
【発明の概要】
【発明が解決しようとする課題】
【０００５】
上記特許文献１のノイズフィルタは、接続部を、箱形部材の底壁部に沿うように配されているアース部材から、箱形部材の上面の開口部の近傍位置まで上方へ立ち上げた形態とすることにより、溶接時におけるハウジングの熱変形を回避できるようになっている。しかし、接続部を上方へ大きく立ち上げる形状は、アース部材の材料コストが高くなるという問題がある。  
本発明は上記のような事情に基づいて完成されたものであって、アース部材の材料コストを低減することを目的とする。
【課題を解決するための手段】
【０００６】
本発明のノイズフィルタは、
開口部を有する合成樹脂製の箱形部材と、
前記開口部を塞ぐように配された板状本体部と、前記板状本体部から前記箱形部材内に向けて突出した形態の接続部とを有する金属製のアース部材と、
前記箱形部材内に収容されたコンデンサと、
前記コンデンサに設けられ、前記箱形部材内において前記接続部に溶接により接続されるリード線と、
前記板状本体部に形成され、前記接続部と前記リード線との溶接領域を前記箱形部材の外部へ露出させる切欠部とを備えているところに特徴を有する。
【発明の効果】
【０００７】
溶接による接続部とリード線との接続は、箱形部材の外部から切欠部を通して行うことができる。切欠部と接続部は同じ板状本体部に形成されているので、接続部の突出寸法を小さくして、アース部材の材料コストを低減することができる。
【図面の簡単な説明】
【０００８】
【図１】実施例１のノイズフィルタの平面図
【図２】ハウジングからアース部材を外した状態をあらわす平面図
【図３】図１のＸ−Ｘ線断面図
【図４】図３のＹ−Ｙ線断面図
【発明を実施するための形態】
【０００９】
（１）本発明のノイズフィルタは、前記切欠部が前記接続部を切り起こすことによって形成されていてもよい。この構成によれば、切欠部を形成するために除去した部分が、接続部として活用されているので、材料コストを更に低減できる。
【００１０】
（２）本発明のノイズフィルタは、前記接続部が、前記開口部の開口縁の近傍に配されているものであって、前記接続部における前記リード線との溶接領域が、前記開口部の開口縁とは反対側に面していてもよい。この構成によれば、溶接の際に、開口部の開口縁に対する熱の影響が軽減される。
【００１１】
＜実施例１＞
以下、本発明を具体化した実施例１を図１〜図４を参照して説明する。本実施例１のノイズフィルタは、合成樹脂製のハウジング１０と、端子金具３０と、アース部材４０と、一対のコンデンサ５０と、１つのコイル６０とを備えて構成されている。尚、以下の説明において、上下の方向については図３，４に表れる向きを基準とし、前後方向については図１〜３における右側を前側と定義する。
【００１２】
＜ハウジング１０＞
ハウジング１０は、箱形部材１２とフード部２２とを一体に形成して構成されている。箱形部材１２は、平面視方形の底壁部１３と、底壁部１３の外周縁から立ち上がる角筒状の周壁部１４とから構成され、上面が全領域に亘って開放された開口部１５となっている。開口部１５は、アース部材４０によって閉塞されるようになっている。
【００１３】
箱形部材１２内には、底壁部１３の上面から上方へ立ち上がった形態の前後一対の挟持部１６が形成されている。一対の挟持部１６は、コイル６０を位置決め支持する機能を有する。同じく、箱形部材１２内には、底壁部１３の上面から立ち上がった形態の左右一対の収容部１７が形成されている。収容部１７の内部は、上方に開放された収容空間となっており、収容部１７内には、コンデンサ５０が収容されるようになっている。
【００１４】
周壁部１４を構成する前壁部１８には、その上端面（即ち、開口部１５の開口縁のうち前縁部）を凹ませた形態の位置決め溝１９が形成されている。周壁部１４を構成する左右両側壁部２０の上端縁には、上方へ突出した形態の左右一対の係止爪２１が、前後に間隔を空けて二対形成されている。フード部２２は、前壁部１８の外周縁から前方へ角筒状に延出した形態である。フード部２２の上面は、箱形部材１２の上面（開口部１５の開口綿）に対して段差状に高くなっている。係止爪２１の上端面は、フード部２２の上面と同じ高さに設定されている。
【００１５】
＜端子金具３０＞
端子金具３０は、全体として前後方向に細長い形状である。一対の端子金具３０は、左右に並列するように配されており、前壁部１８を前後に貫通した状態でインサート成形によりハウジング１０（箱形部材１２）と一体化されている。端子金具３０の前端側領域を構成するタブ３１は、フード部２２内に収容され、図示しないワイヤーハーネスを構成する相手側端子（図示省略）に接続されるようになっている。端子金具３０の後端部は、側面視が略Ｌ字形をなすように上向きに屈曲された溶接部３２となっている。溶接部３２は、箱形部材１２内における上端部、即ち開口部１５に近い位置に配置されている。溶接部３２の後面には、コンデンサ５０のリード線５２Ｆが半田６２により接続されるようになっている。
【００１６】
＜アース部材４０＞
アース部材４０は、金属板材を所定形状に打ち抜いて曲げ加工等を施して成形されている。アース部材４０は、板状本体部４１と、屈曲部４２と、接地部４３と、接続部４４とから構成されている。板状本体部４１は、全体として平面視方形の水平な平板状をなしている。板状本体部４１には、その前端縁から下向きに屈曲した位置決めリブ４５が形成されている。屈曲部４２は、板状本体部４１の後端縁に連なっている。屈曲部４２の後端縁には、板状本体部４１と平行であって平面視略方形をなす接地部４３の前端縁が連なっている。接地部４３には、平面視円形をなす貫通形態の取付孔４６が形成されている。
【００１７】
板状本体部４１の後端側領域には、左右一対の接続部４４が形成されている。接続部４４は、板状本体部４１の一部を下後方へ略直角に切り起こした形態である。接続部４４の前面には、後述するコンデンサ５０のリード線５２Ｒが半田６２により接続される。接続部４４を切り起こし形成したことにより、板状本体部４１のうち接続部４４の前方に隣接する領域には、平面視方形をなす切欠部４７が形成されている。切欠部４７は、板状本体部４１を上下に貫通した形態であり、全周に亘って閉じた窓状をなしている。この切欠部４７は、平面視において、接続部４４とリード線５２Ｒとの溶接領域を箱形部材１２の上方外部へ露出させるように位置する。また、板状本体部４１の前端側領域には、端子金具３０の溶接部３２とリード線５２Ｆとの溶接を行うための左右一対の窓孔４８が形成されている。
【００１８】
アース部材４０をハウジング１０に組み付けた状態では、板状本体部４１が周壁部１４の上端面に載置されるように当接することにより、箱形部材１２に対するアース部材４０の下方への相対変位が規制される。また、位置決めリブ４５が位置決め溝１９に嵌合することにより、箱形部材１２に対するアース部材４０の前後方向への相対変位が規制される。さらに、二対の係止爪２１が板状本体部４１の左右両側縁部に係止することにより、箱形部材１２に対するアース部材４０の上方への相対変位及び左右方向への相対変位が規制される。
【００１９】
アース部材４０を箱形部材１２に組み付けた状態では、接地部４３の上面が、フード部２２の上面、及び係止爪２１の上端面と同じ高さに位置する。したがって、ノイズフィルタは、フード部２２の上面、係止爪２１の上端面及び接地部４３の上面を、自動車のボディ等における平坦状の接地面（図示省略）に対して安定して当接させることができる。この状態では、接地面に対し、接地部４３が、その全領域に亘る広い範囲で面当たりする。そして、取付孔４６に貫通したボルト（図示省略）を接地面にねじ込むことにより、アース部材４０が接地されるようになっている。
【００２０】
アース部材４０を箱形部材１２に組み付けた状態では、アース部材４０に形成した左右一対の接続部４４が、箱形部材１２の内部に収容され、周壁部１４を構成する後壁部の上端部前面に接近した位置に配置される。つまり、接続部４４は、開口部１５の開口縁のうち後壁部に近い位置に配置される。そのため、接続部４４とリード線５２Ｒとの溶接作業時の熱が、後壁部に悪影響を及ぼすことが懸念される。しかし、接続部４４におけるリード線５２Ｒとの溶接領域は、接続部４４の前面、つまり接続部４４を挟んで後壁部とは前後反対側であるから、後壁部に対して熱の影響が及ぶ虞はない。
【００２１】
アース部材４０を箱形部材１２に組み付けた状態では、一対の窓孔４８は、平面視において、一対の端子金具３０の溶接部３２とその後方近傍領域と対応するように配置されている。したがって、窓孔４８は、平面視において、溶接部３２とリード線５２Ｆとの溶接領域を、箱形部材１２の上方外部へ露出させている。溶接部３２は、開口部１５の開口縁のうち前壁部１８に近い位置に配置されるため、溶接部３２とリード線５２Ｆとの溶接作業時の熱が、前壁部１８に悪影響を及ぼすことが懸念される。しかし、溶接部３２におけるリード線５２Ｆとの溶接領域は、溶接部３２の後面、つまり溶接部３２を挟んで前壁部１８とは前後反対側であるから、前壁部１８に対して熱の影響が及ぶ虞はない。
【００２２】
＜コンデンサ５０＞
コンデンサ５０は、コンデンサ本体５１と、コンデンサ本体５１から延出する前後一対のリード線５２Ｆ，５２Ｒとを備えて構成されている。コンデンサ本体５１は、側面視が横長の略方形をなし、幅寸法は、前後寸法及び上下寸法に比べて小さい。コンデンサ５０は、そのコンデンサ本体５１を収容部１７内に収容させた状態で、箱形部材１２内に配されている。コンデンサ本体５１は、接続部４４とリード線５２Ｒとの位置ずれ及び溶接部３２とリード線５２Ｆとの位置ずれを吸収するために、収容部１７内で前後方向及び左右方向へ遊動できるようになっている。
【００２３】
一対のリード線５２Ｆ，５２Ｒは、いずれも、コンデンサ本体５１の上面における前端部と後端部から上向きに導出されている。上向きに導出された前側のリード線５２Ｆは、前方へ転向するように屈曲され、その先端部が、半田６２（溶接）により端子金具３０の溶接部３２の後面に導通可能に接続されている。また、上向きに導出された後側のリード線５２Ｒは、後方へ転向し、その先端部が、半田６２（溶接）によりアース部材４０の接続部４４の前面に導通可能に接続されている。
【００２４】
＜コイル６０＞
コイル６０は、軸線を前後方向に向けた円柱形のコア６１の外周に螺旋状に巻き付けられて構成されている。コイル６０は、底壁部１３の上面に載置され、コア６１は、前後一対の挟持部１６に間で挟み付けられることにより、箱形部材１２に対して移動を規制された状態に支持されている。
【００２５】
コイル６０の両端部は、一対の端子金具３０の溶接部３２に、半田６２（溶接）により導通可能に接続される。コイル６０の溶接は、コンデンサ５０の前側のリード線５２Ｆを溶接する工程で同時に行われる。上記のようにアース部材４０と端子金具３０に接続されたコイル６０と２つのコンデンサ５０は、π型のフィルタ回路を構成し、端子金具３０に接続されたワイヤーハーネスの回路のノイズを効果的に除去するフィルタとしての機能を発揮する。
【００２６】
＜実施例１の作用及び効果＞
ノイズフィルタの製造工程を説明する。まず、インサート成形により、ハウジング１０を成形すると同時に、ハウジング１０と一対の端子金具３０を一体化させる。次に、箱形部材１２の開口部１５を上に向けた状態で、コイル６０を箱形部材１２内に収容して挟持部１６により位置決めして保持するとともに、コンデンサ５０を箱形部材１２内に収容して収容部１７内にセットする。
【００２７】
コイル６０とコンデンサ５０を箱形部材１２内に収容したら、アース部材４０を箱形部材１２（ハウジング１０）に組み付けて、開口部１５を板状本体部４１で塞ぐ。この後、箱形部材１２内において、コイル６０と端子金具３０との溶接、前側のリード線５２Ｆと端子金具３０との溶接、及び後側のリード線５２Ｒとアース部材４０との溶接を行う。
【００２８】
端子金具３０の溶接部３２は、箱形部材１２内の上端部、即ち開口部１５に近い位置に配置されており、この溶接部３２の上方近傍には、板状本体部４１に形成した窓孔４８が開口している。この窓孔４８により、溶接部３２の溶接領域が箱形部材１２の上方外部へ露出されている。箱形部材１２内の溶接部３２に対するコイル６０及び前側のリード線５２Ｆの溶接は、箱形部材１２の上方から半田コテ（図示省略）を窓孔４８内に差し入れて行う。
【００２９】
この時、高温の半田コテが合成樹脂製の周壁部１４に接触することによって、周壁部１４（開口部１５の開口縁）が熱変形することが懸念される。しかし、窓孔４８は、全周に亘って閉じた形態であるから、半田コテが前後左右に動いても、窓孔４８の孔縁に当たるだけであり、周壁部１４に接触する虞はない。
【００３０】
また、アース部材４０の接続部４４も、溶接部３２と同様、箱形部材１２内の上端部、即ち開口部１５に近い位置に配置されている。そして、接続部４４の上方近傍には、板状本体部４１に形成した切欠部４７が開口している。この切欠部４７により、接続部４４の溶接領域が箱形部材１２の上方外部へ露出されている。したがって、箱形部材１２内の接続部４４に対する後側のリード線５２Ｒの溶接も、溶接部３２の溶接と同様、箱形部材１２の上方から半田コテ（図示省略）を切欠部４７内に差し入れて行う。
【００３１】
この時、高温の半田コテが合成樹脂製の周壁部１４に接触することによって、周壁部１４（開口部１５の開口縁）が熱変形することが懸念される。しかし、切欠部４７は、全周に亘って閉じた形態であり、切欠部４７の開口縁における後縁には接続部４４が位置している。したがって、半田コテが前後左右に動いても、切欠部４７の開口縁や接続部４４に当たるだけであり、周壁部１４に接触する虞はない。
【００３２】
本実施例１のノイズフィルタは、開口部１５を有する合成樹脂製の箱形部材１２と、開口部１５を塞ぐように配された板状本体部４１と、板状本体部４１から箱形部材１２内に向けて突出した形態の接続部４４とを有する金属製のアース部材４０とを有する。箱形部材１２内にはコンデンサ５０が収容され、コンデンサ５０に設けたリード線５２Ｒが、箱形部材１２内において接続部４４に溶接により接続される。そして、板状本体部４１には、接続部４４とリード線５２Ｒとの溶接領域を箱形部材１２の外部へ露出させる切欠部４７が形成されている。
【００３３】
この構成によれば、溶接による接続部４４とリード線５２Ｒとの接続を、箱形部材１２の外部から切欠部４７を通して行うことができる。この切欠部４７と、溶接対象である接続部４４は、同じ板状本体部４１に形成されているので、板状本体部４１からの接続部４４の突出寸法を小さくして、アース部材４０の材料コスト低減が実現されている。
【００３４】
また、ノイズフィルタは、切欠部４７が接続部４４を切り起こすことによって形成されているので、板状本体部４１のうち切欠部４７を形成するために除去した部分が、接続部４４として活用されている。したがって、材料コストを更に低減できるとともに、接続部４４を切欠部４７の近傍に配することができた。また、接続部４４は、開口部１５の開口縁の近傍に配されているのであるが、接続部４４におけるリード線５２Ｒとの溶接領域は、開口部１５の開口縁とは反対側に面しているので、溶接の際に、開口部１５の開口縁に対する熱の影響が軽減されている。
【００３５】
＜他の実施例＞
本発明は上記記述及び図面によって説明した実施例に限定されるものではなく、例えば次のような実施例も本発明の技術的範囲に含まれる。  
（１）上記実施例１では、接続部を切り起こすことによって切欠部が形成されているが、切欠部を形成するために除去した部分とは別に、接続部が形成されていてもよい。  
（２）上記実施例１では、切欠部を、全周に亘って閉じた窓状としたが、切欠部は、板状本体部の外周縁に開放された形態であってもよい。  
（３）上記実施例１では、２つのコンデンサと１つのコイルによりπ形のフィルタ回路が構成されているが、本発明は、フィルタ回路が、１つのコンデンサと１つのコイルで構成されている場合や、１つのコンデンサで構成されている場合や、２つのコンデンサで構成されている場合にも適用できる。  
（４）上記実施例１では、ノイズ除去対象回路との接続手段を、箱形部材に形成したフード部によるコネクタ構造としたが、ノイズ除去対象回路との接続手段は、ノイズ除去対象回路を構成する電線に固着した端子金具を、箱形部材に組み付ける等の構造を用いてもよい。  
（５）上記実施例１では、アース部材に形成した接地部を、前後方向においてフィルタ素子を挟んで端子金具とは反対の後方へ突出するように配したが、アース部材に接地部を形成せず、アース部材に設けたアース端子を端子金具と並ぶように配置し、このアース端子とアース部材を接続してもよい。
【符号の説明】
【００３６】
１２…箱形部材
１５…開口部
４０…アース部材
４１…板状本体部
４４…接続部
４７…切欠部
５０…コンデンサ
５２Ｒ…リード線
【図１】
2015095684.tif 000003
【図２】
2015095684.tif 000004
【図３】
2015095684.tif 000005
【図４】
2015095684.tif 000006